(57)【要約】【課題】表面を保護する保護カバーを取付けた状態で、撮影台に装着することができる放射線画像撮影装置を提供する。【解決手段】放射線画像撮影装置１０は、放射線画像撮影装置本体１４と、放射線画像撮影装置本体４１の表面１４Ｓに取り外し可能に取り付けられ、取り付けられた状態において放射線画像撮影装置本体１４を含めた厚さが１６ｍｍ以下であ保護カバー１６と、を有している。【選択図】図１
2014032044.tif 000002
【特許請求の範囲】
【請求項１】
放射線画像撮影装置本体と、
前記放射線画像撮影装置本体の表面に取り外し可能に取り付けられ、取り付けられた状態において前記放射線画像撮影装置本体を含めた厚さが１６ｍｍ以下である保護カバーと、
を有する放射線画像撮影装置。
【請求項２】
前記放射線画像撮影装置はＤＲカセッテである請求項１に記載の放射線画像撮影装置。
【請求項３】
前記保護カバーはシート状に形成され、前記放射線画像撮影装置本体に対して、少なくとも放射線が入射される側の表面に取り付けられている請求項１又は２に記載の放射線画像撮影装置。
【請求項４】
前記保護カバーは、前記保護カバーが取り付けられた前記放射線画像撮影装置本体の表面の全範囲を覆う大きさとされている請求項１〜３のいずれか１項に記載の放射線画像撮影装置。
【請求項５】
前記保護カバーは、前記放射線画像撮影装置本体が撮影台に装着されたとき、放射線が入射される側の表面、及び前記放射線と平行な少なくとも１つの側面の段差部に取付けられている請求項１〜３のいずれか１項に記載の放射線画像撮影装置。
【請求項６】
前記保護カバーは、前記放射線画像撮影装置本体が撮影台に装着されたとき、放射線が入射される側の表面に設けられた前記保護カバー用凹部に取り付けられている請求項１〜３のいずれか１項に記載の放射線画像撮影装置。
【請求項７】
前記保護カバーは、他の保護カバーと交換可能とされている請求項１〜６のいずれか１項に記載の放射線画像撮影装置。
【請求項８】
前記放射線画像撮影装置本体の前記保護カバーが取り付けられた表面と反対側の表面には断熱材が取り付けられ、前記保護カバー及び前記断熱材が取り付けられた状態において前記放射線画像撮影装置本体を含めた厚さが１６ｍｍ以下とされている請求項３に記載の放射線画像撮影装置。
【請求項９】
前記放射線画像撮影装置本体に取付けられた前記断熱材の表面には、前記断熱材を覆う断熱材カバーが取り付けられ、前記保護カバー及び前記断熱材カバーが取り付けられた状態において前記放射線画像撮影装置本体を含めた厚さが１６ｍｍ以下とされている請求項８に記載の放射線画像撮影装置。
【請求項１０】
前記保護カバーは樹脂シート、強化繊維入り樹脂シート、シリコーンシート又はフッ素樹脂シートのいずれか１つで形成されている請求項１〜９のいずれか１項に記載の放射線画像撮影装置。
【請求項１１】
前記保護カバーは、抗菌性能が付与された抗菌シートで形成されている請求項１〜９のいずれか１項に記載の放射線画像撮影装置。
【発明の詳細な説明】
【技術分野】
【０００１】
本発明は、放射線画像を形成する放射線画像撮影装置に関する。
【背景技術】
【０００２】
医療現場で広く活用されている放射線画像撮影装置は、放射線を利用して被験者の放射線画像を形成する。放射線画像撮影装置は、使用時は撮影台に装着して放射線画像を形成し、撮影終了後は取外して保管場所で保管されることがある。また、立位と臥位の撮影を行うために立位撮影台と臥位撮影台に取り付けたり取り外したりして利用される。このため、運搬時や取り付け取り外し時等に、表面に損傷や汚れが発生しやすい。また、高額な機器であることから、長期間に渡り損傷や汚れのない状態で使用できる構成が望まれていた。
このため、放射線画像撮影装置の損傷や汚れを防ぐための保護カバーが提案されている（例えば特許文献１参照）。
【先行技術文献】
【特許文献】
【０００３】
【特許文献１】特開２００６−２９３３６８号公報
【発明の概要】
【発明が解決しようとする課題】
【０００４】
しかし、特許文献１の保護カバーは、放射線画像撮影装置より一回り大きく形成され、収納した放射線画像撮影装置を外側から囲む構成である。この結果、保護カバーを取付けた状態では外形寸法が大きくなり、今まで使用していた撮影台に装着することができない。このため、放射線画像撮影装置の使用時には、保護カバーから取り出して撮影台に装着する必要があり、医療従事者にとって負担となっていた。
【０００５】
本発明は上記事実を考慮し、表面を保護する保護カバーを取付けた状態で、撮影台に装着することができる放射線画像撮影装置を提供することを目的とする。
【課題を解決するための手段】
【０００６】
請求項１に記載の発明に係る放射線画像撮影装置は、放射線画像撮影装置本体と、前記放射線画像撮影装置本体の表面に取り外し可能に取り付けられ、取り付けられた状態において前記放射線画像撮影装置本体を含めた厚さが１６ｍｍ以下である保護カバーと、を有することを特徴としている。
【０００７】
請求項１に記載の発明によれば、放射線画像撮影装置本体の表面に取り外し可能に取り付けられた保護カバーにより、放射線画像撮影装置本体の表面が保護される。また、保護カバーを取り付けた状態において放射線画像撮影装置本体を含む厚さが１６ｍｍ以下とされている。
【０００８】
これにより、放射線画像撮影装置の表面が保護カバーで保護され、運搬時や使用時に生じる汚染やキズ等の発生を抑制することができる。また、保護カバーを取り付けた状態の放射線画像撮影装置本体を含む厚さが１６ｍｍ以下とされているので、従来のカセッテとの互換性が確保される。
この結果、使用時に保護カバーを取り外すことなく、撮影台に装着することができる。
【０００９】
請求項２に記載の発明は、請求項１に記載の放射線画像撮影装置において、前記放射線画像撮影装置はＤＲカセッテであることを特徴としている。
【００１０】
請求項２に記載の発明によれば、ＤＲ（Digital Radiography）カセッテの表面がシート状の保護カバーにより保護される。ＤＲカセッテは、他の方式のカセッテと比べて高度に電子化されており、価格も高い。これにより、最も保護ニーズの高いＤＲカセッテの表面をキズや汚れから保護することができる。
【００１１】
請求項３に記載の発明は、請求項１又は２に記載の放射線画像撮影装置において、前記保護カバーはシート状に形成され、前記放射線画像撮影装置本体に対して、少なくとも放射線が入射される側の表面に取り付けられていることを特徴としている。
これにより、キズや汚れの発生が生じ易い場所である、放射線画像撮影装置の放射線の入射側の表面を保護カバーで保護することができる。
【００１２】
請求項４に記載の発明は、請求項１〜３のいずれか１項に記載の放射線画像撮影装置において、前記保護カバーは、前記保護カバーが取り付けられた前記放射線画像撮影装置本体の表面の全範囲を覆う大きさとされていることを特徴としている。
即ち、放射線画像撮影装置の１つの表面の全範囲が保護カバーで覆われることにより、保護カバーで覆われた側の表面の全範囲をキズや汚れの発生から保護することができる。
【００１３】
請求項５に記載の発明は、請求項１〜３のいずれか１項に記載の放射線画像撮影装置において、前記保護カバーは、前記放射線画像撮影装置本体が撮影台に装着されたとき、放射線が入力される側の表面、及び前記放射線と平行な少なくとも１つの側面の段差部に取付けられていることを特徴としている。
【００１４】
これにより、放射線画像撮影装置本体が撮影台に装着されたとき、放射線が入力される側の表面、及び放射線と平行な放射線画像撮影装置本体の少なくとも１つの側面の段差部を、キズや汚れの発生から保護することができる。
【００１５】
請求項６に記載の発明は、請求項１〜３のいずれか１項に記載の放射線画像撮影装置において、前記保護カバーは、前記放射線画像撮影装置本体が撮影台に装着されたとき、放射線が入力される側の表面に設けられた前記保護カバー用凹部に取り付けられていることを特徴としている。
【００１６】
即ち保護カバー用凹部が形成された側の表面が保護カバーで覆われる。これにより、保護カバーで覆われた放射線画像撮影装置の表面、即ち、放射線が入力される側の表面を、キズや汚れの発生から保護することができる。また、放射線画像撮影装置本体の外周部を厚くできる。
【００１７】
請求項７に記載の発明は、請求項１〜６のいずれか１項に記載の放射線画像撮影装置において、前記保護カバーは、他の保護カバーと交換可能とされていることを特徴としている。
これにより、保護カバーの交換を適切なタイミングで行うことが可能となり、古い保護カバーを新しい保護カバーに交換することができる。この結果、放射線画像撮影装置を、常に損傷のない清潔な状態に維持することができる。
【００１８】
請求項８に記載の発明は、請求項３に記載の放射線画像撮影装置において、前記放射線画像撮影装置本体の前記保護カバーが取り付けられた表面と反対側の表面には断熱材が取り付けられ、前記保護カバー及び前記断熱材が取り付けられた部位における前記放射線画像撮影装置本体を含めた厚さが１６ｍｍ以下とされていることを特徴としている。
【００１９】
これにより、保護カバーにより放射線画像撮影装置の表面のキズや汚れの発生が保護されると共に、断熱材により放射線画像撮影装置の使用時における放射線画像撮影装置の周囲から放射線画像撮影装置の内部への熱伝導が抑制される。
この結果、放射線画像撮影装置内部の電子部品の温度上昇が抑制され、安定した撮影性能を確保することができる。また、使用時に保護カバーを取り外すことなく、撮影台に装着することができる。
【００２０】
請求項９に記載の発明は、請求項８に記載の放射線画像撮影装置において、前記放射線画像撮影装置本体に取付けられた前記断熱材の表面には、前記断熱材を覆う断熱材カバーが取り付けられ、前記保護カバー及び前記断熱材カバーが取り付けられた状態において前記放射線画像撮影装置本体を含めた厚さが１６ｍｍ以下とされていることを特徴としている。
【００２１】
請求項９に記載の発明によれば、保護カバーにより放射線画像撮影装置の表面が保護され、更に断熱材カバーにより、断熱材の表面が保護される。
これにより、放射線画像撮影装置の表面のキズや汚れの発生が抑制される。また、断熱材の表面のキズや汚れの発生が抑制され、断熱性能の低下が抑制される。また、使用時に保護カバーを取り外すことなく、撮影台に装着することができる。
【００２２】
請求項１０に記載の発明は、請求項１〜９のいずれか１項に記載の放射線画像撮影装置において、前記保護カバーは樹脂シート、強化繊維入り樹脂シート、シリコーンシート又はフッ素樹脂シートのいずれか１つで形成されていることを特徴としている。
これにより、保護カバーの材料を使用目的、使用環境に応じて適切に選択できる。
【００２３】
請求項１１に記載の発明は、請求項１〜９のいずれか１項に記載の放射線画像撮影装置において、前記保護カバーは、抗菌性能が付与された抗菌シートで形成されていることを特徴としている。
これにより、保護カバー表面での菌の増殖を抑制できる。
【発明の効果】
【００２４】
本発明は上記構成としてあるので、表面を保護する保護カバーを取付けた状態で、撮影台にそのまま装着することができる。
【図面の簡単な説明】
【００２５】
【図１】（Ａ）は、本発明の第１の実施の形態に係る放射線画像撮影装置の基本構成を示す分解斜視図であり、（Ｂ）は、放射線画像撮影装置の側面図である。
【図２】本発明の第１の実施形態に係る放射線画像撮影装置が装着される立位架台の斜視図であり、（Ａ）は取付け部を収納した状態、（Ｂ）は取付け部を引き出した状態を示している。
【図３】取付け部の部分拡大図であり、（Ａ）は取付け部を引き出した状態、（Ｂ）は放射線画像撮影装置を取付け部に装着した状態を示している。
【図４】本発明の第１の実施の形態に係る放射線画像撮影装置の筐体内部に設けられた放射線検出素子の回路図である。
【図５】本発明の第１の実施の形態に係る放射線画像撮影装置の筐体内部の放射線検出素子の結線部を示す平面図である。
【図６】本発明の第１の実施形態に係る放射線画像撮影装置を図１のＸ−Ｚ平面で切断した断面図である。
【図７】本発明の第１の実施形態に係る放射線画像撮影装置が装着される立位架台の斜視図であり、（Ａ）は取付け部を収納した状態、（Ｂ）は取付け部を引き出した状態を示している。
【図８】（Ａ）は、本発明の第２の実施の形態に係る放射線画像撮影装置の基本構成を示す分解斜視図であり、（Ｂ）は、放射線画像撮影装置の側面図である。
【図９】（Ａ）は、本発明の第３の実施の形態に係る放射線画像撮影装置の基本構成を示す分解斜視図であり、（Ｂ）は、放射線画像撮影装置の側面図である。
【図１０】（Ａ）は、本発明の第４の実施の形態に係る放射線画像撮影装置の基本構成を示す分解斜視図であり、（Ｂ）は、放射線画像撮影装置の側面図である。
【図１１】本発明の第５の実施形態に係る放射線画像撮影装置を図１のＸ−Ｚ平面で切断した断面図である。
【図１２】本発明の第６の実施形態に係る放射線画像撮影装置を図１のＸ−Ｚ平面で切断した断面図である。
【発明を実施するための形態】
【００２６】
（第１の実施形態）
図１〜図７を用いて、本発明の第１の実施形態に係る放射線画像撮影装置１０について説明する。
図１は、本実施形態に係る放射線画像撮影装置１０の外観図、図２及び図３は放射線画像撮影装置本体１４の電気的構成を示す回路図、図４は放射線画像撮影装置１０の内部構成を示す断面図、図５及び図６は立位架台の斜視図、図７は臥位架台の斜視図である。
【００２７】
図１（Ａ）の斜視図、図１（Ｂ）の側面図に示すように、放射線画像撮影装置（以下カバー付カセッテと呼ぶ）１０は、放射線を受けて放射線画像を形成する放射線画像撮影装置本体（以下カセッテと呼ぶ）１４と、カセッテ１４の１つの表面１４Ｓに接着剤で貼り付けられる保護カバー１６とを有している。
【００２８】
カセッテ１４は、可搬型とされ、樹脂又は金属で厚さｔ３の平板状に形成された筐体１８を有し、筐体１８の内部には、放射線を受けて放射線画像を形成する放射線撮像素子等が収納されている。カセッテ１４の内部構成については後述する。
【００２９】
保護カバー１６は、樹脂シートで厚さｔ２に形成され、カセッテ１４の１つの表面１４Ｓに取り外し可能に接着剤等で貼り付けられている。また、保護カバー１６は、保護カバー１６が取り付けられたカセッテ１４の表面１４Ｓの全範囲を覆う大きさとされている。
この保護カバー１６はカセッテ１４から簡易に剥がすことができ、剥がした後は再利用はせずに廃棄される。
【００３０】
カセッテ１４に保護カバー１６を貼り付けたカバー付カセッテ１０は、保護カバー１６が貼り付けられた状態においてカセッテ１４を含めた厚さｔ１（ｔ１=ｔ２＋ｔ３）が、ＩＳＯ規格や、ＪＩＳ規格（ＪＩＳ  Ｚ４９０５）で定められている、カセッテ１４の厚さの規格値１６ｍｍより小さくされている。
これにより、図２、図３に記載した現在使用している立位架台（撮影台）７０の取付け部７４に、保護カバー１６が貼り付けられた側の表面を放射線の入射側に向けて装着し、使用することができる。
【００３１】
これにより、カセッテ１４の１つの表面１４Ｓの全範囲が、着脱可能に保護カバー１６で覆われ、保護される。
この結果、保護カバー１６が汚染やキズ等を受けたときに、保護カバー１６交換することができ、カセッテ１４をキズや汚れの発生から保護することができる。また、保護カバー１６を交換することにより、カバー付カセッテ１０を、常により損傷のない清潔な状態に維持することができ、カセッテ１４の長期使用が可能となる。更に、保護カバー１６により、カセッテ１４の機械的強度が補強される。
【００３２】
また、保護カバー１６が貼り付けられた状態においてカセッテ１４を含めた厚さｔ１の最大値が、ＩＳＯ規格、ＪＩＳ規格（ＪＩＳ  Ｚ４９０５）で定められているカセッテ１４の厚さの規格値１５＋１ｍｍ、即ち１６ｍｍ以下とされていることにより、保護カバー１６を取り外すことなく、カバー付カセッテ１０を撮影台に装着することができる。
即ち、保護カバー１６を貼り付ける前に使用していたカセッテとの互換性が確保され、保護カバー１６を貼り付けたまま、従来の撮影台に装着することができる。この結果、カセッテ１４に保護カバー１６取付けたり取り外したりする、医療従事者の手間を省くことができる。
【００３３】
なお、カセッテ１４の筐体１８の厚さが保護カバー１６の厚さｔ２だけ薄くなり（ｔ３となる）、筐体１８の強度が低下するが、カセッテ１４内部の補強構造の改良や、保護カバー１６による補強効果等で機械的強度の低下を補うことができる。
この結果、カセッテ１４に保護カバー１６取付けたり取り外したりする、医療従事者の手間を省くことができる。
【００３４】
また、保護カバー１６が貼り付けられた表面１４Ｓは、カバー付カセッテ１０を、取り付部７４に装着したとき、放射線の入射側となる側の表面である。一般に放射線の入射側の表面にキズや汚れが生じ易い。これは患者と直接接する可能性が高いためである。このため、カバー付カセッテ１０の表面を効果的に保護することができる。
【００３５】
なお、樹脂製の保護カバー１６は、抗菌性能が付与された抗菌シートで形成してもよい。これにより、保護カバー１６の表面での菌の増殖を抑制することができる。即ち、立位や臥位の撮影台に装着せず、技師や被験者が手で持ったり、簡易固定装置を使ってカセッテ１４を簡易的に固定して撮影するフリー撮影の場合、表面１４Ｓが被験者に直接接する場合がある。これは、カバー付カセッテ１０の放射線入射側に必ず被験者が位置するためであり、放射線入射側の表面１４Ｓにある、この保護カバー１６が抗菌であることが大切である。
【００３６】
次に、カバー付カセッテ１０が装着される立位架台７０について説明する。
図２（Ａ）、図２（Ｂ）の斜視図に示されるように、撮影状態が立位の場合に用いられる立位架台７０の撮影部７２には、撮影部７２の側面から引き出し自在とされると共に、カバー付カセッテ１０が取り付けられる取付部７４が設けられている。即ち、取付部７４は、矢印７５の方向に引き出すことができる。
【００３７】
図３（Ａ）、図３（Ｂ）の取付部７４の詳細図に示すように、取付部７４には、カバー付カセッテ１０が載せされると共に上下方向に移動可能な載置部７６が設けられている。この載置部７６には、カバー付カセッテ１０の下端部が嵌る段部７６Ａが設けられている。なお、段部７６Ａには、複数種の大きさのカバー付カセッテ１０に対応するよう、階段部が設けられている。
【００３８】
さらに、取付部７４の上端部には、載置部７６に載せられたカバー付カセッテ１０の上端部が引掛けられるＬ字状の引掛部７８が設けられている。  以上の構成により、カバー付カセッテ１０の上下方向を確認して、保護カバー１６を放射線の入力側に向けてカバー付カセッテ１０を立位架台７０に固定する。
【００３９】
図３（Ｂ）に示されるように、カバー付カセッテ１０を立位架台７０に取り付けた後は、取付部７４を矢印７７の方向（撮影部７２の方向）へ押し込む。み、取付部７４が押し込まれた状態（図２（Ａ）参照）で、Ｘ線画像の撮影を行う。
【００４０】
なお、カバー付カセッテ１０は、撮影状態が臥位の場合に用いられる臥位架台９２（図７参照）に取り付けることもできる。
図７（Ａ）、図７（Ｂ）の斜視図に示されるように、臥位架台９２の撮影部９４には、撮影部９４の側面から引き出し自在とされると共に、カバー付カセッテ１０が取り付けられる取付部９６が設けられている。
【００４１】
取付部９６を撮影部９４から矢印７５の方向へ引き出し、カバー付カセッテ１０を矢印８１の方向から取付部９６に取り付ける。その後、カバー付カセッテ１０を撮影部９４まで押し込むことで、Ｘ線画像の撮影を行うことができる。
【００４２】
以上説明した構成とすることにより、保護カバー１６によりカセッテ１４の表面が保護される。また、保護カバー１６が取り付けられた状態においてカセッテ１４を含めた厚さｔ１が、ＩＳＯ規格、ＪＩＳ規格で定められている規格値１６ｍｍより小さくされている。
この結果、カセッテ１４の表面を保護する保護カバー１６を取付けた状態で、今まで使用していた取り付部７４に、そのまま装着することができるカバー付カセッテ１０を提供することができる。
【００４３】
次に、カセッテ１４の内部構成について説明する。本実施の形態のカセッテ１４には、検出された放射線の記録方式の異なるＣＲ（Computed Radiography）カセッテ、ＤＲ（Digital Radiography）カセッテ、コンベ（いわゆるフイルム式）カセッテの全てが含まれる。ここでは、カセッテ１４の代表例としてＤＲカセッテ（以下電子カセッテと呼ぶ）１５について説明する。
【００４４】
図４〜図６には、電子カセッテ１５の筐体１８の内部構成の一例が示されている。電子カセッテ１５には、放射線撮像素子１２が設けられている。この放射線撮像素子１２は、上部電極と半導体層と下部電極を備え、放射線撮像素子１２には、光を受けて電荷を蓄積するセンサ部１３と、センサ部１３に蓄積された電荷を読み出すためのＴＦＴスイッチ１７と、を含んで構成される画素２０が２次元状に多数設けられている。
【００４５】
また、放射線撮像素子１２には、ＴＦＴスイッチ１７をＯＮ／ＯＦＦするための複数の走査配線２２と、センサ部１３に蓄積された電荷を読み出すための複数の信号配線２４と、が互いに交差して設けられている。
【００４６】
本実施形態に係る放射線撮像素子１２は、表面にＧＯＳ又はＣＩＳ等からなるシンチレータ３０（図５及び図６参照）が貼り付けられている。シンチレータ３０は、発生した光の外部への漏れだしを抑制するため、貼り付けられた放射線撮像素子１２に対する反対側の面に発生した光を遮光する遮光体３０Ａ（図６参照）を有している。
【００４７】
放射線撮像素子１２では、照射されたＸ線などの放射線はシンチレータ３０で光に変換され、センサ部１３に照射される。センサ部１３は、シンチレータ３０から照射された光を受けて電荷を蓄積する。
そして、各信号配線２４には、信号配線２４に接続された何れかのＴＦＴスイッチ１７がＯＮされることにより、センサ部１３に蓄積された電荷量に応じて放射線画像を示す電気信号（画像信号）が流れる。
【００４８】
また、放射線撮像素子１２の信号配線方向の一端側には、結線用のコネクタ３２が複数個並んで設けられ、走査配線方向の一端側には、コネクタ３４が複数個並んで設けられている。そして、各信号配線２４はコネクタ３２に接続され、各走査配線２２はコネクタ３４に接続されている。
【００４９】
さらに、本実施の形態では、放射線撮像素子１２による放射線検出の制御、及び各信号配線２４に流れる電気信号に対する信号処理の制御を行う制御部３６が設けられ、制御部３６は、信号検出回路４２と、スキャン信号制御回路４０と、を備えている。
【００５０】
また、信号検出回路４２には、複数個のコネクタ４６が設けられており、このコネクタ４６には、フレキシブルケーブル４４の一端が電気的に接続されている。さらに、このフレキシブルケーブル４４の他端は、コネクタ３２に接続されており、信号配線２４毎に、入力される電気信号を増幅する増幅回路を内蔵している。この構成により、信号検出回路４２は、各信号配線２４より入力される電気信号を増幅回路により増幅して検出することで、画像を構成する各画素２０の情報として、各センサ部１３に蓄積された電荷量を検出するようになっている。
【００５１】
一方、スキャン信号制御回路４０には、コネクタ４８が設けられており、このコネクタ４８には、フレキシブルケーブル５２の一端が電気的に接続されている。さらに、このフレキシブルケーブル５２の他端は、コネクタ３４に接続されており、スキャン信号制御回路４０は各走査配線２２にＴＦＴスイッチ１７をＯＮ／ＯＦＦするための制御信号を出力するようになっている。
【００５２】
また、図５に示されるように、本実施の形態に係る電子カセッテ１５は、照射された放射線により表わされる放射線画像を撮影する撮影部６０を有している。この撮影部６０は、平板状に形成された支持基板６２の一方の面に放射線撮像素子１２が配置され（図４参照）、支持基板６２の他方の面に放射線撮像素子１２に対応する信号検出回路４２及びスキャン信号制御回路４０が配置されている。
【００５３】
次に、本実施形態に係る電子カセッテ１５の動作原理について説明する。
図６に示されるように、電子カセッテ１５では、たとえばＸ線画像の撮影をする場合、放射線撮像素子１２に被写体を透過したＸ線７９が照射される。
放射線撮像素子１２では、照射されたＸ線７９はシンチレータ３０で光に変換され、センサ部１３に照射される。センサ部１３は、シンチレータ３０から照射された光を受けて電荷を蓄積する。
【００５４】
また、図４に示したように、画像読出時には、スキャン信号制御回路４０から放射線撮像素子１２のＴＦＴスイッチ１７のゲート電極に、走査配線２２を介して順次ＯＮ信号（＋１０〜２０Ｖ）が印加される。
これにより、放射線撮像素子１２のＴＦＴスイッチ１７が順次ＯＮされることにより、センサ部１３に蓄積された電荷量に応じた電気信号が信号配線２４に流れ出す。信号検出回路４２は、放射線撮像素子１２の信号配線２４に流れ出した電気信号に基づいて、各センサ部１３に蓄積された電荷量を、画像を構成する各画素２０の情報として検出する。これにより、放射線撮像素子１２に照射された放射線により示される画像を示す画像情報が得られる。
【００５５】
なお、本実施形態においては、保護カバー１６を、対向するカセッテ１４の放射線が入射する側の表面に取り付けた場合について説明した。しかし、これに限定されることはなく、カセッテ１４の放射線が入射する側と反対側の表面に取り付けてもよい。また、カセッテ１４の両側の表面に取り付けてもよい。
更にカセッテ１４全部を覆うような袋形状にしてもよい（ｔ１=２×ｔ２＋ｔ３）。
【００５６】
また、本実施形態では、保護カバー１６は、樹脂シートを例にとり説明した。しかし、これに限定されることはなく、強化繊維入り樹脂シート、シリコーンシート又はフッソ樹脂シートのいずれか１つで保護カバー１６を形成してもよい。
これにより、保護カバー１６の材料を使用目的、使用環境に応じて適切に選択することができる。
【００５７】
なお、カセッテ１４としてはＣＲ（Computed Radiography）カセッテ、ＤＲ（Digital Radiography）カセッテ、コンベ（いわゆるフイルム式）カセッテの全てが含まれると記載したが、特にＤＲカセッテは上記した通り、数多くの電子部品やシンチレータがあり非常に高価なものであることから、保護カバー１６を設けることのメリットが大きい。ＣＲカセッテやコンベカセッテの場合は筐体表面が傷ついたら買い換えたり、外側の筐体だけを交換したりすればよいが、ＤＲカセッテの場合は表面の傷で買い換えるには高価すぎるし、電子部品等が非常に多く含まれるため分解して筐体だけを交換することも難しい。よって、特にＤＲカセッテでこのような保護カバー１６があると、病院で簡便に交換もできるし使い勝手がよい。
【００５８】
（第２の実施形態）
図８（Ａ）の外観斜視図、図８（Ｂ）の側面図に示すように、第２の実施形態に係る放射線画像撮影装置２６は、保護カバー２９が、カセッテ２８の１つの表面２８Ｓのみでなく、カセッテ２８の対向する２つの側面２８Ｔ１にも取り付けられている点において、第１の実施の形態に係るカセッテ１４と相違する。相違点を中心に説明する。
【００５９】
放射線画像撮影装置（カバー付カセッテ）２６は、カセッテ２８と保護カバー２９を備えている。保護カバー２９は厚さｔ２の樹脂シートとされ、対向する端部２９Ｕ、２９Ｄが、カセッテ２８の方向へ折り曲げられている。
【００６０】
カセッテ２８は平板状に形成され、厚さｔ３の筐体２７を有し、筐体２７の対向する側面２８Ｔ１、２８Ｔ２の一部には、保護カバー２９の厚さｔ２と同じ寸法だけ薄く形成された段差部を有している。また、厚さｔ２の保護カバー２９と厚さｔ３カセッテ２８の厚さを合計した、カバー付カセッテ２６の厚さはｔ１（ｔ１＝ｔ２＋ｔ３）とされている。
【００６１】
これにより、側面２８Ｔ１、２８Ｔ２に保護カバー２９の折り曲げ部を貼り付けても、側面２８Ｔ１、２８Ｔ２から保護カバー２９が突き出ることが抑制され、高さ寸法ｈを高くせずに、保護カバー２９で保護することができる。なお、カセッテ２８の側面２８Ｔ１、又は側面２８Ｔ２に操作部が形成されているときは、保護カバー２９の折り曲げ部を所用の寸法だけ切り欠けばよい。
なお、本実施形態では、カセッテ２８の１つの表面２８Ｓへの保護カバー２９の貼り付けは、第１の実施の形態と同じであり、説明は省略する。
【００６２】
これにより、保護カバー２９で覆われた放射線画像撮影装置の表面２８Ｓの全範囲、及び放射線画像撮影装置本体の側面の対向する表面２８Ｔ１、２８Ｔ２の表面を、キズや汚れの発生から保護することができる。
他は、第１の実施形態と同じであり説明は省略する。
【００６３】
（第３の実施形態）
図９（Ａ）の外観斜視図、（Ｂ）の側面図に示すように、第３の実施形態に係る放射線画像撮影装置８０は、保護カバー８４が、カセッテ８２の１つの表面８２Ｓのみでなく、カセッテ８２の４つの側面８２Ｔ１、８２Ｔ２、８２Ｔ３、８２Ｔ４の全てに取り付けられている点において、第２の実施の形態に係るカセッテ２６と相違する。相違点を中心に説明する。
【００６４】
放射線画像撮影装置（カバー付カセッテ）８０は、カセッテ８２と保護カバー８４を備えている。保護カバー８４は、厚さｔ２の樹脂シートとされ、４つの端部８４Ｅがそれぞれ、カセッテ８２の方向へ折り曲げられている。
【００６５】
カセッテ８２は平板状に形成された厚さｔ３の筐体８２を有し、筐体２７の対向する４つの側面８２Ｔ１、８２Ｔ２、８２Ｔ３、８２Ｔ４の一部には、保護カバー８４の厚さｔ２だけ薄く形成された段差部が形成されている。また、厚さｔ２の保護カバー８４と厚さｔ３のカセッテ８２の厚さを合計した、カバー付カセッテの厚さがｔ１（ｔ１＝ｔ２＋ｔ３）とされている。
【００６６】
これにより、側面８２Ｔ１、８２Ｔ２、８２Ｔ３、８２Ｔ４に保護カバー８４を貼り付けても、側面８２Ｔ１、８２Ｔ２、８２Ｔ３、８２Ｔ４から保護カバー８４が突き出ることが抑制される。なお、カセッテ８２の側面のいずれかに操作部が形成されているときは、保護カバー８４の折り曲げ部を所用の寸法だけ切り欠けばよい。
なお、本実施形態では、カセッテ８２の１つの表面８２Ｓへの保護カバー２９の貼り付けは、第１の実施の形態と同じであり、説明は省略する。
【００６７】
これにより、保護カバー８４で覆われた放射線画像撮影装置の表面２８Ｓの全範囲、及び放射線画像撮影装置本体の側面の対向する４つの表面８２Ｔ１、８２Ｔ２、８２Ｔ３、８２Ｔ４の表面を、キズや汚れの発生から保護することができる。
更に、高さ寸法ｈ、幅寸法ｗを大きく高くせずに、保護カバー８４でカセッテ８２を保護することができる。
他は、第２の実施形態と同じであり説明は省略する。
【００６８】
（第４の実施形態）
図１０（Ａ）の外観斜視図、（Ｂ）の側面図に示すように、第４の実施形態に係る放射線画像撮影装置８６は、カセッテ８８の１つの表面８９に、保護カバー用凹部８９が形成されている点が、第１の実施の形態に係るカセッテ１４と相違する。相違点を中心に説明する。
【００６９】
放射線画像撮影装置（カバー付カセッテ）８６において、保護カバー９０は、カセッテ８８の１つの表面に設けられた保護カバー用凹部８９に貼り付けられている。カセッテ８８の厚さは凹部８９の形成された位置でｔ３とされ、保護カバー用凹部８９は、保護カバー９０の厚さｔ２と同等、若しくは深い保護カバー用凹部８９を有し、保護カバー９０を保護カバー用凹部８９に貼り付けた状態で、カバー付カセッテ８６の厚さがｔ１（ｔ１＝ｔ２＋ｔ３）とされている。
【００７０】
これにより、カバー付カセッテ８６は、保護カバー９０で覆われたカセッテ８８の１つの表面において、表面に設けられた保護カバー用凹部８９が設けられた側の表面を、保護カバー９０により、キズや汚れの発生から保護することができる。また、カセッテ８８の外周部の厚さを厚くできる。
他は、第１の実施形態と同じであり説明は省略する。
【００７１】
（第５の実施形態）
図１１の断面図に示すように、第５の実施形態に係る放射線画像撮影装置１００は、カセッテ１０２の保護カバー１０４が取り付けられた表面と反対側の表面に、断熱材１０６が取り付けられている点において、第１の実施の形態に係る放射線画像撮影装置と相違する。相違点を中心に説明する。
【００７２】
放射線画像撮影装置（カバー付カセッテ）１００は、厚さｔ５とされたカセッテ１０２の一方の表面（放射線の入射する側の表面）に厚さｔ２の保護カバー１０４が取り付けられ、反対側の表面には厚さｔ４断熱材１０６が取り付けられている。
カバー付カセッテ１００は、保護カバー１０４、及び断熱材１０６が取り付けられた状態におけるカセッテ１０２を含めた厚さｔ１（ｔ１＝ｔ２＋ｔ４＋ｔ５）が、ＩＳＯ規格、ＪＩＳ規格で定められている規格値１５＋１ｍｍ、即ち１６ｍｍ以下とされている。
【００７３】
これにより、保護カバー１０４によりカセッテ１０２の表面のキズや汚れの発生が抑制される。また、断熱材１０６によりカセッテ１０２の使用時におけるカバー付カセッテ１００の周囲（立位架台７０や臥位架台９２の高温部分）から、カバー付カセッテ１００の内部への熱伝導が抑制される。
この結果、カセッテ１０２の電子部品の温度上昇が抑制され、安定した撮影性能を確保することができる。
他は、第１の実施形態と同じであり、説明は省略する。
【００７４】
（第６の実施形態）
図１２の断面図に示すように、第６の実施形態に係る放射線画像撮影装置１１０は、カセッテ１０２の保護カバー１０４が取り付けられた表面と反対側の表面には、断熱材１０６が取り付けられ、断熱材１０６の表面には、断熱材カバー１１２が設けられている点において、第５の実施の形態に係る放射線画像撮影装置１００と相違する。相違点を中心に説明する。
【００７５】
放射線画像撮影装置（カバー付カセッテ）１１０において、厚さｔ６とされたカセッテ１０２には、厚さｔ２の保護カバー１０４、保護カバー１０４の反対側に設けられた厚さｔ４の断熱材１０６、更に、断熱材１０６の表面には、厚さｔ２の断熱材カバー１１２が取り付けられている。
即ち、カバー付カセッテ１１０は、保護カバー１０４、断熱材１０６、断熱材カバー１１２が取り付けられた状態において、カセッテ１０２を含めた厚さｔ１（ｔ１＝ｔ２＋ｔ６＋ｔ４＋ｔ２）が、ＩＳＯ規格、ＪＩＳ規格で定められている規格値１５＋１ｍｍ、即ち１６ｍｍ以下であるとされている。
【００７６】
保護カバー１０４によりカセッテ１０２の表面が保護され、及び断熱材カバー１１２により、断熱材１０６の表面が保護される。更に、断熱材１０６によりカセッテ１０２の使用時におけるカバー付カセッテ１１０の周囲（立位架台７０や臥位架台９２の高温部分）から、カバー付カセッテ１１０の内部への熱伝導が抑制される。
これにより、カセッテ１０２の表面のキズや汚れの発生が抑制される。また、断熱材の表面のキズや汚れの発生が抑制される。
他は、第５の実施形態と同じであり説明は相略する。
【符号の説明】
【００７７】
１０、２６、８０、８６、１００、１１０  カバー付カセッテ（放射線画像撮影装置）
１４、２８、８２、８８、１０２  カセッテ（放射線画像撮影装置本体）
１４Ｓ、２８Ｓ、８２Ｓ  表面
１６、２９、８４、９０、１０４  保護カバー
７０  立位架台（撮影台）
８９  保護カバー用凹部
９２  臥位架台（撮影台）
１０６  断熱材
１１２  断熱材カバー
【図１】
2014032044.tif 000003
【図２】
2014032044.tif 000004
【図３】
2014032044.tif 000005
【図４】
2014032044.tif 000006
【図５】
2014032044.tif 000007
【図６】
2014032044.tif 000008
【図７】
2014032044.tif 000009
【図８】
2014032044.tif 000010
【図９】
2014032044.tif 000011
【図１０】
2014032044.tif 000012
【図１１】
2014032044.tif 000013
【図１２】
2014032044.tif 000014